(57)【特許請求の範囲】
【請求項１】
浴槽の側壁に貫通状態に取り付けられる高温差し湯式浴槽用出湯具であって、
浴槽外から供給されるお湯を導入する吐出流路と、
前記吐出流路を通過したお湯を浴槽内に吐出する吐出口と、
作動時に前記吐出流路を遮断してお湯の供給を停止する遮断弁と、
前記吐出口の下流側における一側方に配置され、かつ所定の温度以上のお湯を感知した際に前記遮断弁を作動させる形状記憶部材と、を備え、
前記吐出口の内部に、前記吐出口から吐出されるお湯の一部を他側方に誘導してお湯を拡散させるための拡散誘導部が設けられ、
前記拡散誘導部は、前記吐出口の内周側面のうち一側方の側面に設けられ、かつ下流側に向かうに従って他側方に向かうように傾斜する傾斜面によって構成されることを特徴とする高温差し湯式浴槽用出湯具。
【請求項２】
前記吐出口および前記形状記憶部材を覆い、かつ前記吐出口から吐出されるお湯を流出させる開口部が形成されたカバー部材を備え、
前記吐出口と前記カバー部材の開口部との間に、前記吐出口から吐出したお湯を分流して他側方に誘導する分流部が設けられる請求項１に記載の高温差し湯式浴槽用出湯具。
【請求項３】
前記吐出口は、前記形状記憶部材を挟んだ両側にそれぞれ設けられる請求項１または２に記載の高温差し湯式浴槽用出湯具。
【請求項４】
前記吐出口は、下向きに配置される請求項１〜３のいずれか１項に記載の高温差し湯式浴槽用出湯具。
【請求項５】
前記カバー部材の開口部に格子部材が設けられるとともに、その格子部材に対応して前記分流部が配置される請求項２に記載の高温差し湯式浴槽用出湯具。
【請求項６】
前記形状記憶部材と前記吐出口との間に下流側に延びる仕切壁が設けられ、
前記仕切壁の下端縁に、その下端面における前記吐出口側のコーナー部が面取状に形成されて、回り込み誘導面が形成される請求項１〜５のいずれか１項に記載の高温差し湯式浴槽用出湯具。
【請求項７】
前記仕切壁の前記吐出口側に、下流側に向かうに従って他側方に向かうように傾斜する他側方向誘導面が形成される請求項６に記載の高温差し湯式浴槽用出湯具。
【発明の詳細な説明】
【技術分野】
【０００１】
この発明は、浴槽に取り付けられる高温差し湯式浴槽用出湯具に関する。
【背景技術】
【０００２】
一般的な浴槽設備においては、浴室外の給湯器で加熱されたお湯を、浴槽の側壁に設置された給湯口アダプター等の出湯具から、浴槽内に供給するようになっている。
【０００３】
浴槽設備の中でも高温差し湯式のものは、空の浴槽内にお湯を供給する際の湯はり時には、４０℃前後の適温のお湯が出湯具から供給される一方、浴槽内のお湯（水）が残った状態でその残り湯の温度を上昇させるために高温のお湯を注ぎ足す際の差し湯時（追い焚き時）には、出湯具から、８０℃以上の高温のお湯が浴槽内に供給されるようになっている。
【０００４】
このような高温差し湯式の浴槽設備においては、湯はり時に謝って、高温のお湯の供給（高温出湯）を行った場合には、遮断弁が作動して、お湯の供給が停止されるようになっている。
【０００５】
例えば下記特許文献１〜３に示す高温差し湯式出湯具は、吐出口の下流側における側方に形状記憶バネが設けられ、そのバネによって高温異常が検知された際に、バネが伸縮して上記遮断弁が作動するようになっている。例えば、湯はり時、つまり吐出口周辺にお湯がないときに、高温出湯を行った場合、吐出口から吐出された高温のお湯が、外部カバー内面等で跳ね返って上記形状記憶バネに接触することにより、そのバネにより高温が検知されて、遮断弁が作動するようになっている。なお、通常の差し湯時、つまり吐出口周辺までお湯があるときに、吐出口から高温のお湯が吐出された場合には、そのお湯は、吐出口周辺のお湯と混ざり合って温度が低下することにより、所要量以上の高温のお湯が、形状記憶バネ周辺に供給されず、浴槽内の温度が規定温度に到達する前に、高温異常が検知されないようになっている。
【先行技術文献】
【特許文献】
【０００６】
【特許文献１】特許第２５８６８３２号
【特許文献２】特許第２６４３８９１号
【特許文献３】特開平８−２４７５５６号公報
【発明の概要】
【発明が解決しようとする課題】
【０００７】
上記のような高温差し湯式の浴槽設備に用いられる給湯機は、例えば機種によって、供給されるお湯の流量が大きく異なっている。ところが、従来の高温差し湯式出湯具においては、お湯の流量に応じて、以下の課題が発生する。
【０００８】
まず、通常の差し湯時（追い焚き時）において、流量が多い場合、吐出口から吐出されるお湯の勢いが強くなるため、吐出口周辺の広い範囲に高温のお湯が流れ込み易く、そのお湯の熱が形状記憶バネに伝わって反応することにより、浴槽内の温度が規定温度に到達していないのに、遮断弁が作動してお湯の供給が中断されてしまう場合がある。
【０００９】
一方、この中断を防止するために、形状記憶バネを吐出口から大きく離間させて配置すると、お湯の流量が少ない場合に不具合が生じる。すなわち湯はり時に謝って高温出湯を行ってしまった場合、流量が少ないと、吐出口から吐出される高温のお湯の勢いが弱いため、その高温のお湯が、形状記憶バネまで飛散し難くなってしまう。このため、形状記憶バネによって高温異常が検知され難くなり、お湯の供給が直ちに停止されないという不具合が発生する。
【００１０】
このように従来において、高流量のお湯に対応させた出湯具では、低流量の給湯機に接続すると、遮断が必要なときに遮断弁が作動しないおそれがあり、逆に、低流量のお湯に対応させた出湯具では、高流量の給湯機に接続すると、遮断が不要なときに遮断弁が作動するおそれがあるという課題があった。
【００１１】
この発明は、上記の課題に鑑みてなされたものであり、供給されるお湯の流量にかかわらず、遮断弁を適切に作動させて、お湯の供給および停止を的確に行うことができる高温差し湯式浴槽用出湯具を提供することを目的とする。
【課題を解決するための手段】
【００１２】
上記課題を解決するため、本発明は、以下の手段を備えるものである。
【００１３】
［１］浴槽の側壁に貫通状態に取り付けられる高温差し湯式浴槽用出湯具であって、
浴槽外から供給されるお湯を導入する吐出流路と、
前記吐出流路を通過したお湯を浴槽内に吐出する吐出口と、
作動時に前記吐出流路を遮断してお湯の供給を停止する遮断弁と、
前記吐出口の下流側における一側方に配置され、かつ所定の温度以上のお湯を感知した際に前記遮断弁を作動させる形状記憶部材と、を備え、
前記吐出口の内部に、前記吐出口から吐出されるお湯の一部を他側方に誘導してお湯を拡散させるための拡散誘導部が設けられることを特徴とする高温差し湯式浴槽用出湯具。
【００１４】
［２］前記拡散誘導部は、前記吐出口の内周側面のうち一側方の側面に設けられ、かつ下流側に向かうに従って他側方に向かうように傾斜する傾斜面によって構成される前項１に記載の高温差し湯式浴槽用出湯具。
【００１５】
［３］前記吐出口および前記形状記憶部材を覆い、かつ前記吐出口から吐出されるお湯を流出させる開口部が形成されたカバー部材を備え、
前記吐出口と前記カバー部材の開口部との間に、前記吐出口から吐出したお湯を分流して他側方に誘導する分流部が設けられる前項１または２に記載の高温差し湯式浴槽用出湯具。
【００１６】
［４］浴槽の側壁に貫通状態に取り付けられる高温差し湯式浴槽用出湯具であって、
浴槽外から供給されるお湯を導入する吐出流路と、
前記吐出流路を通過したお湯を浴槽内に吐出する吐出口と、
作動時に前記吐出流路を遮断してお湯の供給を停止する遮断弁と、
前記吐出口の下流側における一側方に配置され、かつ所定の温度以上のお湯を感知した際に前記遮断弁を作動させる形状記憶部材と、
前記吐出口および前記形状記憶部材を覆い、かつ前記吐出口から吐出されるお湯を流出させる開口部が形成されたカバー部材と、を備え、
前記吐出口と前記カバー部材の開口部との間に、前記吐出口から吐出したお湯を分流して他側方に誘導する分流部が設けられることを特徴とする高温差し湯式浴槽用出湯具。
【００１７】
［５］前記吐出口は、前記形状記憶部材を挟んだ両側にそれぞれ設けられる前項１〜４のいずれか１項に記載の高温差し湯式浴槽用出湯具。
【００１８】
［６］前記吐出口は、下向きに配置される前項１〜５のいずれか１項に記載の高温差し湯式浴槽用出湯具。
【００１９】
［７］前記カバー部材の開口部に格子部材が設けられるとともに、その格子部材に対応して前記分流部が配置される前項３または４に記載の高温差し湯式浴槽用出湯具。
【００２０】
［８］前記形状記憶部材と前記吐出口との間に下流側に延びる仕切壁が設けられ、
前記仕切壁の下端縁に、その下端面における前記吐出口側のコーナー部が面取状に形成されて、回り込み誘導面が形成される前項１〜７のいずれか１項に記載の高温差し湯式浴槽用出湯具。
【００２１】
［９］前記仕切壁の前記吐出口側に、下流側に向かうに従って他側方に向かうように傾斜する他側方向誘導面が形成される前項８に記載の高温差し湯式浴槽用出湯具。
【発明の効果】
【００２２】
発明［１］の高温差し湯式浴槽用出湯具によれば、高流量の場合には、吐出口から吐出されるお湯を形状記憶バネから遠ざかる方向である他側方に分散させることができるとともに、低流量の場合には、分散させずにまとまった状態で下流側に流出させることができる。このため、お湯の流量にかかわらず、必要量のみ高温のお湯を形状記憶部材側に導くことができ、遮断弁を適切に作動させることができ、お湯の供給および停止を的確に行うことができる。
【００２３】
発明［２］の高温差し湯式浴槽用出湯具によれば、高流量の場合に、吐出口から吐出されるお湯をより確実に分散させることができる。
【００２４】
発明［３］の高温差し湯式浴槽用出湯具によれば、高流量の場合に、吐出口から吐出されるお湯をさらに分散させることができる。
【００２５】
発明［４］の高温差し湯式浴槽用出湯具によれば、高流量の場合には、吐出口から吐出されるお湯を他側方に分散させることができるとともに、低流量の場合には、分散させずにまとまった状態で下流側に流出させることができる。このため、お湯の流量にかかわらず、遮断弁を適切に作動させることができ、お湯の供給および停止を的確に行うことができる。
【００２６】
発明［５］の高温差し湯式浴槽用出湯具によれば、低流量の場合に、吐出口から吐出されるお湯の流速を十分に確保できるとともに、高流量の場合にお湯の流量を十分に確保することができる。
【００２７】
発明［６］の高温差し湯式浴槽用出湯具によれば、特に吐出口が形状記憶部材の両側に配置されているような場合に、出湯具が傾いて取り付けられたとしても、形状記憶部材の上側に配置された一方の吐出口からのお湯は、形状記憶部材側に供給され易く、下側に配置される他方の吐出口からのお湯は、形状記憶部材側に供給され難くなる。つまり、一方では形状記憶部材側へのお湯の供給が多くなるものの、他方では少なくなるため、互いの欠点が相殺される。従って、出湯具が傾いて配置された場合でも、形状記憶部材により、高精度でお湯を感知することができる。
【００２８】
発明［７］の高温差し湯式浴槽用出湯具によれば、高流量での差し湯時に、分流部によって分流されたお湯が、格子部材に勢い良く当接するのを防止することができる。このため通常の差し湯時に、不用意に高温のお湯が格子部材で跳ね返って形状記憶部材側に向かうのを防止することができる。
【００２９】
発明［８］の高温差し湯式浴槽用出湯具によれば、特に低流量の場合に、吐出口から吐出されたお湯が、回り込み誘導面に沿って形状記憶部材側に回り込むようになる。このため、湯はり時に高温出湯を行った場合、低流量であっても、高温のお湯を形状記憶部材側に確実に導くことができる。
【００３０】
発明［９］の高温差し湯式浴槽用出湯具によれば、高流量の場合に、吐出口から吐出されるお湯をより一層分散させることができる。
【図面の簡単な説明】
【００３１】
【図１】図１はこの発明の実施形態の高温差し湯式浴槽用出湯具を示す側面図である。
【図２】図２は実施形態の出湯具を分解して示す斜視図である。
【図３】図３は実施形態の出湯具を流路導通状態で示す正面断面図である。
【図４】図４は実施形態の出湯具を流路遮断状態で示す正面断面図である。
【図５】図５は実施形態における出湯器の流路仕切部材を示す正面図である。
【図６】図６は実施形態の流路仕切部材を示す側面図である。
【図７】図７は実施形態の流路仕切部材を示す下面図である。
【図８】図８は実施形態の流路仕切部材を分解して示す斜視図である。
【図９】図９は実施形態の流路仕切部材を示す正面断面図である。
【図１０】図１０は実施形態の流路仕切部材を示す側面断面図である。
【図１１】図１１は実施形態の出湯具においてお湯の流れを説明するための片側半分の正面断面図であって、同図（ａ）は高流量時の正面断面図、同図（ｂ）は低流量時の正面断面図である。
【発明を実施するための形態】
【００３２】
図１はこの発明の実施形態である高温差し湯式浴槽用出湯具を示す側面図、図２はその出湯具の分解斜視図である。
【００３３】
両図に示すように、この出湯具は、浴槽の側壁Ｗに設けられた取付孔Ｈに組み付けられて、室外の給湯機から供給されるお湯を浴槽内に供給するものである。本実施形態において、室外給湯機は高温差し湯機能付きのものであり、空の浴槽内にお湯を供給する際の湯はり時には、４０℃前後の適温のお湯を供給できるとともに、浴槽内に低温のお湯（水）が残った状態で高温のお湯を注ぎ足す際の差し湯時（追い焚き時）には、８０℃以上の高温のお湯を供給できるようになっている。
【００３４】
本実施形態の出湯具は、槽外取付具１と、雄ねじ部材２と、流路仕切部材３と、フィルター９とを基本的な構成要素として備えている。なお、本明細書においては、出湯具の軸心方向に沿って浴槽に対し内側（図１の左側）を「前側」または「正面側」とし、浴槽に対し外側（図１の右側）を「後側」または「裏面側」として説明する。
【００３５】
図１，２に示すように槽外取付部材１は、前面側が開放され、かつ後面側が閉塞された有底円筒形状の外筒部１２と、その外筒部１２の内部に同軸心上に配置される円筒形状の内筒部１１と、外筒部１２の前端外周に設けられた平板リング状のフランジ部１５と、外周部１２の周壁後端に側方に突出するように一体に設けられるパイプ状の外管接続部１３とを一体に有している。
【００３６】
内筒部１１の内部空間は、外管接続部１３の内部空間に連通接続されており、内筒部１１および外管接続部１３の両内部空間が共に、後述の吐出流路Ａの一部として構成されている。内筒部１１の軸心に対し、外管接続部１３の軸心はほぼ直交しており、後述するように、外管接続部１３に導入されるお湯が、外管接続部１３から内筒部１１に流入される際に、ほぼ９０°方向転換するようになっている。
【００３７】
本実施形態においては、内筒部１１によってパイプ接続部が構成されている。
【００３８】
外筒部１２の前部内周面には、雄ねじ部材２に組み付けるための雌ねじが刻設されている。
【００３９】
なお、槽外取付部材１のフランジ部１５の外周縁部には、そのフランジ部１５と浴槽外壁面との間の水密を図るための合成樹脂製のパッキンが取り付けられる。
【００４０】
図１，２に示すように雄ねじ部材２は、前後両端が開放された円筒形状の胴部２１と、その胴部２１の前端外周に設けられた平板リング状のフランジ部２５とを一体に有する鍔付き円筒形状の成形品をもって構成されている。
【００４１】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００４２】
この雄ねじ部材２が上記槽外取付部材１と共に、浴槽の側壁Ｗに固定されるものである。すなわち槽外取付部材１のフランジ部１５が、浴槽の外壁面における取付孔Ｈの周縁部に沿うように配置された状態で、雄ねじ部材２のフランジ部２５が、合成ゴム製のリング状パッキン（図示省略）を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽の側壁Ｗにおける取付孔周縁部が挟持されて、両部材１，２が側壁Ｗに貫通状態に組み付けられる。
【００４３】
図５〜１０は流路仕切部材３を示す図である。これらの図に示すように、流路仕切部材３は、軸心方向（前後方向）に沿って直線状に延びる細長い円筒形状のパイプ部３１と、そのパイプ部３１の前端部に設けられた円板状の円板部４１とを有している。
【００４４】
円板部４１の前面には、前方に突出するように弁ケーシング本体４２が形成されている。この弁ケーシング本体４２は、中空構造で上端が開放されており、その上端開口部に、弁ケーシング蓋４３がねじ４４によって固定されている。
【００４５】
本実施形態においては、円板部４１の一部、弁ケーシング本体４２および弁ケーシング蓋４３によって中空構造のケーシング部が構成されるとともに、それらによって囲まれた部分が、弁室４として構成されている。そしてこの弁室４は、吐出流路Ａの一部を構成するものである。
【００４６】
パイプ部３１はその内部が吐出流路Ａの一部として構成されている。パイプ部３１の内部は、パイプ部３１の前端開口を介して、弁室４の内部と連通されている。
【００４７】
弁ケーシング本体４２の下壁両側には、矩形状の吐出口４５，４５がそれぞれ形成されている。正面視（正面断面視）の状態の状態で、吐出口４５，４５は、パイプ部３１を挟んだ両側に配置されている。
【００４８】
本実施形態において、吐出口４５，４５は、上下方向に長さを有するものであり、その上端が弁室４に開放されるととに、下端が弁ケーシング本体４２の下端面において外部に開放されている。
【００４９】
各吐出口４５，４５は、それぞれ下向きに開放されており、軸心がそれぞれ上下方向に沿うように配置されている。
【００５０】
吐出口４５，４５の下端部における内周四側面のうち、内側（一側方）の側面には、拡散誘導部４６が形成されている。この拡散誘導部４６は、斜め外側に向かう傾斜面、具体的には、下方（下流側）に向かうに従って次第に、外側（他側方）に向かう傾斜面によって構成されている。
【００５１】
ここで本実施形態において、「一側方」「他側方」という場合、吐出口４５，４５の軸心の位置を基準として、出湯具の中心側（後述の形状記憶バネ５５が配置される側）の方向を、一側方（内側）とし、出湯具の中心から遠ざかる方向（形状記憶バネ５５から遠ざかる方向）を他側方（外側）としている。
【００５２】
図３，４，８等に示すように、弁室４内に設けられる弁軸５１は、両側の吐出口４５，４５間における弁室４の左右方向中間位置において上下方向に沿って配置されている。この弁軸５１は、その下側が弁ケーシング本体４２の下端壁を上下方向にスライド可能に貫通し、上端部が弁ケーシング蓋４３に上下方向にスライド自在に取り付けられることにより、弁ケーシング本体３１に対し上下方向（軸方向）にスライド可能に構成されている。
【００５３】
弁室４内において、弁軸５１には、弁軸５１と共にスライド移動する弁部材５２の中間部が固定されている。弁部材５２の両側部は、遮断弁５３，５３としてそれぞれ構成されており、各遮断弁５３，５３が、各吐出口４５，４５に対応して配置されている。
【００５４】
弁室４の内周面における吐出口４５，４５の開口縁部は、弁座として構成されている。そして図３に示すように、弁軸５１が上方にスライドした位置に配置された状態では、遮断弁５３，５３が吐出口４５，４５から離間して、吐出口４５，４５が開放される。この状態は、お湯が吐出口４５，４５を通過できるため、お湯の供給が可能な吐出流路Ａが導通された状態である。
【００５５】
また図４に示すように、弁軸５１が下方にスライドした際には、遮断弁５３，５３によって吐出口４５，４５が閉塞される。この状態は、お湯が吐出口４５，４５を通過できないため、お湯の供給が不可能な吐出流路Ａが遮断された状態である。
【００５６】
弁軸５１における弁部材５２と弁室４の下面との間には、圧縮コイルバネ５４が外嵌されている。この圧縮コイルバネ５４の付勢力は伸長方向に作用しており、この付勢力によって、通常状態では図３に示すように、弁部材５２が弁軸５１と共に上方に押し上げられて、遮断弁５３，５３が吐出口４５，４５から離間して、吐出口４５，４５が開放されている。
【００５７】
円板部４１の下端中央部には、下方に延びてから前方に突出するバネ受け片４７が形成されている。このバネ受け片４７の前方突出部には、形状記憶部材としての形状記憶合金からなる形状記憶バネ５５の下端が取り付けられるとともに、その形状記憶バネ５５の上端が弁軸５１の下端に取り付けられる。
【００５８】
この形状記憶バネ５５は、快適に入浴できるお湯の温度よりも高い温度を感知すると、収縮するとともに、その温度未満の温度環境下では、伸長状態が維持されるように形状記憶されている。
【００５９】
従って、この形状記憶バネ５５に高温のお湯が触れると、図４に示すように形状記憶バネ５５が収縮して、弁軸５１が弁部材５２と共に圧縮コイルバネ５４の付勢力に抗して下方にスライドすることにより、遮断弁５３，５３によって吐出口４５，４５が閉塞される。
【００６０】
円板部４１における形状記憶バネ５５の両側において、形状記憶バネ５５と、両側吐出口４５，４５との間には、下方に延びる仕切壁５６，５６が形成されている。
【００６１】
仕切壁５６，５６は、その上端が弁ケーシング本体４２における吐出口４５，４５の内側に接続されるとともに、下端が円板部４１の外周縁部における形状記憶バネ５５の下端近傍に配置されている。
【００６２】
図５，９に示す正面視の状態において、仕切壁５６，５６の下端縁には、その下端面における吐出口４５，４５側のコーナー部、換言すれば下端面と吐出口４５，４５側の側面（外側面）との間のコーナー部が面取り状に形成されて、回り込み誘導面５６１，５６１が形成されている。
【００６３】
さらに仕切壁５６，５６の吐出口４５，４５側の側面（外側面）における上記回り込み誘導面５６１，５６１よりも上方には、下方（下流側）に向かうに従って外側（他側方）に向かうように傾斜する外側誘導面５７，５７が形成されている。
【００６４】
ここで本実施形態においては、図７等に示すように、回り込み誘導面５６１，５６１および外側誘導面５７，５７を含む仕切壁５６，５６の前端位置は、吐出口４５，４５よりも前方に配置されている。
【００６５】
図３〜５に示すように、円板部４１における吐出口４５，４５の下流側には、仕切壁５６，５６から外側に離間して、分流部５８，５８が形成されている。
【００６６】
分流部５８，５８は、吐出口４５，４５に対向する側の面が、下方（下流側）に向かうに従って外側（他側方）に向かうように傾斜する外側誘導面５８１，５８１として構成されている。
【００６７】
ここで本実施形態においては、図７等に示すように、外側誘導面５８１，５８１を含む分流部５８，５８の前端位置は、吐出口４５，４５よりも前方に配置されている。
【００６８】
以上の構成の流路仕切部材３は、浴槽の側壁Ｗに槽外取付部材１と共に組み付けられた上記の雄ねじ部材２に、周知の係合手段によって着脱自在に係合されるとともに、その係合状態で、前面側から、ねじ３５（図２参照）が流路仕切部材３の円板部４１および雄ねじ部材２のフランジ部２５にねじ込まれて固定される。
【００６９】
この組付状態では、流路仕切部材３におけるパイプ部３１が、雄ねじ部材２の内部に配置される槽外取付部材１の内筒部１１に挿入されて、浴槽の側壁Ｗを貫通するような状態に配置されている。
【００７０】
さらにこの組付状態では、槽外取付部材１の内筒部１１と流路仕切部材３のパイプ部３１との間に配置されたＯリング（図示省略）によって、両部材１１，３１間の水密が図られるとともに、流路仕切部材３の円板部４１の後面に設けられたパッキン（図示省略）によって、流路仕切部材３の円板部４１と、雄ねじ部材２のフランジ部２５との間の水密が図られるようになっている。
【００７１】
ここで本実施形態において、槽外取付部材１の外管接続部１３、内筒部１１、流路仕切部材３のパイプ部３１、弁室４の各内部が連通接続されて、吐出流路Ａが形成される。そして外管接続部１３から吐出流路Ａ内に導入されたお湯は、吐出流路Ａを通って吐出口４５，４５から吐出されるようになっている。
【００７２】
図１〜４に示すように、フィルター９は、流路仕切部材３の前面側を覆うように配置される。本実施形態において、フィルター９は、カバー部材を構成するものである。
【００７３】
フィルター９は、正面視において縦長の長円形状を有しており、周側壁９１と、その周側壁９１の前面側を閉塞する前壁９２とを備えている。
【００７４】
周側壁９１には、その上部を除いて、開口部９３が形成されるとともに、開口部９３には、縦横に格子部材９４が形成されている。そして吐出口４５，４５から吐出されたお湯が開口部９３を通って浴槽内に供給されるようになっている。
【００７５】
このフィルター９が、流路形成部材３を覆うようにして、周知の係合手段によって流路形成部材３に着脱自在に取り付けられている。
【００７６】
このフィルター組付状態において、フィルター９の格子部材９４のうち、前後方向に延びる格子部材のいずれかの格子部材９４１が、上記流路仕切部材３の分流部５８に対応して配置されている。換言すれば、分流部５８は、格子部材９４１に対応する位置に形成されている。
【００７７】
さらにこの組付状態においては、フィルター９の前壁９２と、流路仕切部材３の仕切壁５６との間には隙間が形成されている。
【００７８】
言うまでもなく、本発明において、出湯具の浴槽への組付手順は、限定されるものではなく、どのような手順で行っても良い。
【００７９】
浴槽に組み付けられた出湯具は、槽外取付部材１の外管接続部１３と、室外給湯機とが外管によって配管接続される。
【００８０】
そして給湯機から外管接続部１３を介して吐出流路Ａに導入されたお湯は、吐出流路Ａを通って、吐出口４５，４５から吐出されて、フィルター９の開口部９３を介して浴槽内に供給されるようになっている。
【００８１】
ところで、高温差し湯型の給湯機は、機種等によって、供給されるお湯の流量が異なるが、本実施形態の出湯具は、流量が多い場合（高流量の場合）と、流量が少ない場合（低流量の場合）とでは、吐出口４５，４５から吐出されるお湯の流れ方（流動特性）が異なっている。
【００８２】
まず高流量の場合には、図１１（ａ）に示すように、吐出流路Ａ内を流れるお湯の勢いが強いため、吐出口４５，４５から吐出されるお湯は、その一部が拡散誘導部４６，４６に案内されて、外側（他側方）、つまり形状記憶バネ５５から遠ざかる方向に誘導されることにより、全体として周方向に拡散して吐出される。なお、同図においては、破線の矢印でお湯の流れを概略的に示している。
【００８３】
さらに本実施形態においては、吐出口４５，４５の下流側に分流部５８，５８を形成しているため、吐出口４５，４５から吐出されるお湯は、その一部が分流部５８，５８の外側誘導面５８１，５８１によって外側に分流することにより、全体としてさらに拡散するようになる。
【００８４】
このように本実施形態の出湯具は、高流量の場合には、吐出口４５，４５から吐出されるお湯が外側に放射状に拡散するように流動し、部分的に見れば流量が少なく勢いも軽減されている。
【００８５】
なお、図１１（ａ）においては、右側半分のみを示しているが、言うまでもなく、高流量の場合のお湯の流れ方は、左側半分も右側半分と実質的に同じである。
【００８６】
一方、低流量の場合には、図１１（ｂ）に示すように、吐出流路Ａを流れるお湯の勢いが弱いため、吐出口４５，４５内の拡散誘導部４６，４６や、仕切壁５６，５７の外側誘導面５７，５７に沿って流れるお湯は、外側に飛散することなく自重により下方に流下する。このため、お湯は、外側に拡散せず、仕切壁５６，５６の近傍（形状記憶バネ５５の周辺）において、まとまった状態で下方に流動するようになる。なお、同図においては、破線の矢印でお湯の流れを概略的に示している。
【００８７】
さらに吐出口４５，４５から吐出されるお湯は、拡散せずに、まとまって下方に流動するため、分流部５８，５８の内側を通過する。このため、お湯が分流部５８，５８による影響を受けることがなく、この点においても、お湯の拡散が防止されている。たとえお湯が分流部５８，５８の周辺を通過したとしても、お湯の勢いが弱いため、上記と同様、お湯が必要以上に拡散するようなことはない。
【００８８】
このように低流量の場合には、吐出口４５，４５から吐出されるお湯は、外側に拡散せずにまとまって下方に流動し、部分的に見れば所定の流量を確保でき、勢いもある程度確保されている。
【００８９】
なお、図１１（ｂ）においては、左側半分のみを示しているが、言うまでもなく、低流量の場合のお湯の流れ方は、右側半分も左側半分と実質的に同じである。
【００９０】
本実施形態において、差し湯（追い焚き）を行う場合、つまり低温のお湯（水）が浴槽内に残っている状態で浴槽内のお湯を入浴に適切な温度に調整する場合には、給湯機から８０℃以上の高温のお湯が外管に供給され、そのお湯が外管接続部１３を介して吐出流路Ａに導入され、さらに図３に示すようにそのお湯が吐出流路Ａを通って、吐出口４５，４５から吐出されて、フィルター９の開口部９３を介して浴槽内に供給される。こうして供給される高温のお湯と、浴槽内の低温のお湯とが混ざり合って、浴槽内のお湯の温度が所定の温度になるまで、高温のお湯の供給が行われる。
【００９１】
本実施形態において、湯はりを行う場合、つまり空の浴槽にお湯を溜める場合、給湯機から入浴に適切な温度のお湯が外管に供給され、そのお湯が外嵌接続部１３を介して吐出流路Ａに導入され、さらに図３に示すようにそのお湯が吐出流路Ａを通って、吐出口４５，４５から吐出されて、フィルター９の開口部９３を介して浴槽内に供給される。こうして浴槽内に適量のお湯が溜まるまで、適温のお湯の供給が行われる。
【００９２】
また湯はりを行うに際して、差し湯と間違って高温のお湯を供給（高温出湯）した場合には、出湯具の吐出流路Ａを通って吐出口４５，４５から吐出される高温のお湯は、フィルター９２内の部位、例えばフィルター９２の前壁９２、周側壁９３（格子部材９４，９４１や開口部９３の周縁部）等のフィルター内面や、バネ受け片４７等に、跳ね返って飛散する。さらにその飛散した高温のお湯の一部が、両側仕切壁５６，５６の下端間の隙間や、両側仕切壁５６，５６の前端とフィルター９２の前壁９２との間の隙間等から、両側仕切壁５６，５６間に流入して、形状記憶バネ５５に接触する。これにより図４に示すように、形状記憶バネ５５が高温を感知して収縮し、弁部材５２が圧縮コイルバネ５４の付勢力に抗して降下し、遮断弁５３，５３が吐出口４５，４５を閉塞する。こうして、お湯の供給が停止されて、高温のお湯の供給が直ちに停止される。
【００９３】
ここで、本実施形態の出湯具においては、特に高流量の場合、通常の差し湯時に浴槽内の温度が規定温度に到達する前に、不用意に形状記憶バネ５５が高温異常を感知してしまうという不具合を確実に防止することができる。
【００９４】
すなわち、差し湯を行う場合、高流量であると、吐出口４５，４５から吐出される高温のお湯は勢いが強いため、その高温のお湯が形状記憶バネ５５の周辺部に供給され易く、浴槽内の温度が規定温度に到達する前に、形状記憶バネ５５により高温異常を感知するおそれがある。
【００９５】
これに対し上記図１１（ａ）で説明したように、本実施形態の出湯具において、高流量の場合、吐出口４５，４５から吐出されるお湯は、外側（他側方）に大きく拡散して吐出されるため、仕切壁５６，５６の近傍（形状記憶バネ５５の周辺）においては部分的に、お湯の勢いが軽減され、流量も少なくなっている。このため、仕切壁５６，５６近傍において、高温のお湯は残り湯にスムーズに混ざり合って温度が低下することにより、高温のお湯が形状記憶バネ５５側に所要量以上導入されることがなく、形状記憶バネ５５の周辺温度が必要以上に高温になることはない。従って通常の差し湯時に、浴槽内の温度が規定温度に到達する前に、形状記憶バネ５５により高温異常が感知されるという不具合を確実に防止することができる。
【００９６】
その上さらに、本実施形態においては、分流部５８，５８を、格子部材９４１，９４１に対応させた位置に形成しているため、差し湯時に、お湯が、格子部材９４１，９４１を避けるように分流部５８，５８によって分流されるため、お湯が、格子部材９４１，９４１に勢い良く当接するのを防止することができる。このため、高温のお湯が格子部材９４１，９４１で跳ね返って方向転換し形状記憶バネ５５等に向かうのを適度に防止でき、通常の差し湯時に、浴槽内の温度が規定温度に到達する前に、形状記憶バネ５５により高温異常が感知されるのをより一層確実に防止することができる。
【００９７】
なお言うまでもなく、低量流で差し湯を行った場合には、吐出口４５，４５から吐出されるお湯の勢いが弱く、流量も少ないため、高温のお湯は浴槽内の残り湯にスムーズに混ざり合って温度が低下することにより、高温のお湯が形状記憶バネ５５の周辺に所要量以上供給されれることがない。従って上記の高流量の場合と同様、通常の差し湯時に、浴槽内の温度が規定温度に到達する前に、形状記憶バネ５５により高温異常が感知されるという不具合を確実に防止することができる。
【００９８】
一方、本実施形態の出湯具において、低流量で湯はり時に高温出湯を行った場合、直ちにお湯の供給が停止される。
【００９９】
すなわち、湯はり時に高温出湯を行った場合、低流量であると、吐出口４５，４５から吐出される高温のお湯の勢いが弱いため、高温のお湯がフィルター内の部位等で十分に跳ね返らず、高温のお湯が形状記憶バネ５５に接触せず、不用意にも高温のお湯の供給が停止されないおそれがある。
【０１００】
これに対し上記図１１（ｂ）で説明したように、本実施形態の出湯具において、低流量の場合、吐出口４５，４５から吐出されるお湯は、外側に拡散することなく、まとまった状態で下方に流動するため、仕切壁５６，５６の近傍（形状記憶バネ５５の周辺）においては部分的に、所定の流量を確保でき、勢いもある程度確保することができる。このため、お湯の一部が、フィルター内の部位で十分に跳ね返って形状記憶バネ５５に到達することにより、形状記憶バネ５５が高温を感知して、お湯の供給が停止される。このように湯はり時に高温出湯を行った際には、お湯の供給を確実に停止させることができる。
【０１０１】
しかも本実施形態においては、仕切壁５６，５６の下流側端部に回り込み誘導面５６１，５６１を形成しているため、仕切壁５６，５６に沿って流動するお湯は、勢いが弱いため、表面張力の影響によって、回り込み誘導面５６１，５６１に沿って内側に回り込む。このため、湯はり時の高温のお湯は、形状記憶バネ５５側に確実に導かれ、お湯の供給を確実に停止させることができる。
【０１０２】
なお高流量で差し湯を行う際には、回り込み誘導面５６１，５６１によって、お湯が内側に回り込むのが防止される。すなわち、回り込み誘導面５６１，５６１の上流には、外側誘導面５７，５７が配置されているため、高流量で勢いが強いお湯は、その外側誘導面５７，５７によって、外側に誘導されることにより、お湯は回り込み誘導面５６１，５６１側に少量しか行き渡らない。このため、高流量で差し湯を行った際に、お湯が回り込み誘導面５６１，５６１に沿って内側に回り込むのが防止される。
【０１０３】
また言うまでもなく、高流量の場合に、湯はり時に高温出湯を行ったとしても、吐出口４５，４５から吐出されるお湯の勢いが強く、流量も多いため、お湯の一部がフィルター内の部位で跳ね返って形状記憶バネ５５に確実に到達してバネ５５が高温を感知することにより、お湯の供給を確実に停止できる。
【０１０４】
以上のように、本実施形態の出湯具によれば、高流量の場合には、吐出口４５，４５から吐出されるお湯を外側に分散させることができるとともに、低流量の場合には、分散させずに、まとまった状態で下方に流出させることができる。このため、お湯の流量にかかわらず、湯はり時に高温出湯を行った場合等の緊急時に、高温のお湯が確実に形状記憶バネ５５側に導かれるとともに、通常の差し湯時に、所要量以上の高温のお湯が不用意に形状記憶バネ５５側に導かれるようなことがなく、遮断弁５３，５３を適切に作動させることができる。このため、お湯の供給および停止を的確に行うことができ、出湯具として高い信頼性を得ることができる。
【０１０５】
また本実施形態においては、両側仕切壁５６，５６の前端とフィルター前壁９２との間に隙間が形成されているが、この隙間から、所要量以上の高温のお湯が両側仕切壁５６，５６内に流入するようなことはなく、必要時以外に形状記憶バネ５５により高温が検知されるのを防止することができる。すなわち、本実施形態においては、両側仕切壁５６，５６の前端位置を、吐出口４５，４５の前端位置よりも前方に配置しているため、吐出口４５，４５から吐出されるお湯は、通常の差し湯時には、両側仕切壁５６，５６よりも後方位置（低位置）を流通することになり、差し湯時に、所要量以上の高温のお湯が両側仕切壁５６，５６の前側を乗り越えて、両側仕切壁５６，５６間に流入することがない。もっとも、湯はり時に高温出湯を行った場合には、吐出口４５，４５から吐出されるお湯は、フィルター内の部位に跳ね返って、両側仕切壁５６，５６の前側を乗り越えて、両側仕切壁５６，５６間に流入されることもある。
【０１０６】
また本実施形態においては、吐出口４５，４５を２つ形成するものであるため、吐出口を１つだけにする場合と比較して、吐出口４５，４５の各開口寸法（孔径）を小さくすることができる。このため低流量で、湯はり時に高温出湯を行った場合、各吐出口４５，４５毎においてお湯の勢いをある程度確保することができる。さらに吐出口４５，４５を２つ形成するため、高流量の状態においては、流路抵抗を少なくすることができ、十分な流量を確保することができる。つまり、低流量の場合には流速を確保できるとともに、高流量の場合には流量を十分に確保することができる。
【０１０７】
また本実施形態においては、形状記憶バネ５５の両側に下向きの吐出口４５，４５を配置しているため、出湯具自体の取付状態が周方向（回転方向）に位置ずれして、吐出口４５，４５が斜め下向きに傾いて配置されたとしても、高精度で高温のお湯を感知することができる。
【０１０８】
すなわち、形状記憶バネの片側に１つの吐出口を形成した場合、出湯具が、その形状記憶バネの下側に吐出口が位置するように傾いて取り付けられると、吐出口から吐出される高温のお湯は、形状記憶バネ側に供給され難くなり、高温のお湯を十分に感知できないおそれがある。逆に、出湯具が、その形状記憶バネの上側に吐出口が位置するように傾いて取り付けられると、吐出口から吐出される高温のお湯は、形状記憶バネ側に供給され易くなり、高温のお湯を必要以上に感知してしまうおそれがある。このように吐出口が１つだけの場合には、出湯具の傾きによって、形状記憶バネに対してお湯のかかり具合が異なり、形状記憶バネによるお湯の感知精度が低下してしまう。
【０１０９】
これに対し、本実施形態においては、形状記憶バネ５５の両側に吐出口４５，４５を配置しているため、出湯具が傾いて取り付けられた場合、形状記憶バネ５５の上側に配置された一方の吐出口４５からのお湯は、形状記憶バネ５５側に供給され易く、下側に配置される他方の吐出口４５からのお湯は、形状記憶バネ５５側に供給され難くなる。つまり、一方では形状記憶バネ５５側へのお湯の供給が多くなるものの、他方では少なくため、２つの吐出口４５，４５が傾いて配置された際の互いの欠点が相殺される。従って、出湯具が傾いて配置された場合でも、形状記憶バネ５５により、高精度でお湯を感知することができ、出湯具の傾きにかかわらず、お湯の感知性能を維持でき、信頼性をより一層向上させることができる。
【０１１０】
なお上記実施形態においては、吐出口を下向きに配置しているが、それだけに限られず、本発明においては、斜め下向きに配置するようにしても良い。
【産業上の利用可能性】
【０１１１】
この発明の高温差し湯式浴槽用出湯具は、例えば一般家庭の浴槽に適用することができる。
【符号の説明】
【０１１２】
４５：吐出口
４６：拡散誘導部
５３：遮断弁
５５：形状記憶バネ（形状記憶部材）
５６：仕切壁
５６１：回り込み誘導面
５７：外側誘導面
５８：分流部
９：フィルター（カバー部材）
９３：開口部
９４，９４１：格子部材
Ａ：吐出流路
Ｗ：浴槽の側壁
【図１】
0005647585.tif 000002
【図２】
0005647585.tif 000003
【図３】
0005647585.tif 000004
【図４】
0005647585.tif 000005
【図５】
0005647585.tif 000006
【図６】
0005647585.tif 000007
【図７】
0005647585.tif 000008
【図８】
0005647585.tif 000009
【図９】
0005647585.tif 000010
【図１０】
0005647585.tif 000011
【図１１】
0005647585.tif 000012